【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
ドレッシング用多機能コアであって、
組織部位に隣接して位置付けられるように構成された接触層と、
前記接触層に隣接する吸上げ層と、
前記吸上げ層に隣接するイオン交換層と、
前記イオン交換層に隣接する吸収層と、
前記吸収層に隣接する遮断層と、
前記遮断層に隣接する臭気吸収層とを含み、
前記接触層、前記吸上げ層、前記イオン交換層、前記吸収層、前記遮断層、および前記臭気吸収層のそれぞれが、繊維質ウェブ中に配置された複数の繊維から形成されることを特徴とする多機能コア。
【請求項２】
請求項１に記載の多機能コアにおいて、前記接触層、前記吸上げ層、前記イオン交換層、前記吸収層、前記遮断層、および前記臭気吸収層の１つまたは複数が同一の広がりを有することを特徴とする多機能コア。
【請求項３】
請求項１に記載の多機能コアにおいて、前記臭気吸収層に隣接して結合される剛性層をさらに含むことを特徴とする多機能コア。
【請求項４】
請求項１に記載の多機能コアにおいて、前記接触層、前記吸上げ層、前記イオン交換層、前記吸収層、前記遮断層、および前記臭気吸収層の１つまたは複数の前記複数の繊維が、単一材料から形成された単層繊維を含むことを特徴とする多機能コア。
【請求項５】
請求項１に記載の多機能コアにおいて、前記接触層、前記吸上げ層、前記イオン交換層、前記吸収層、前記遮断層、および前記臭気吸収層の１つまたは複数の前記複数の繊維が、２種類の材料から形成された二層繊維を含むことを特徴とする多機能コア。
【請求項６】
請求項５に記載の多機能コアにおいて、前記二層繊維が、第１材料から形成された内側コアと、第２材料から形成された外側シースとを含むことを特徴とする多機能コア。
【請求項７】
請求項１に記載の多機能コアにおいて、前記接触層、前記吸上げ層、前記イオン交換層、および前記吸収層がそれぞれ、複数の二層繊維を含み、各二層繊維が、第１材料から形成された内側コアと、第２材料から形成された外側シースとを有することを特徴とする多機能コア。
【請求項８】
請求項７に記載の多機能コアにおいて、前記接触層の前記二層繊維の前記第１材料が疎水性ポリウレタンを含み、前記接触層の前記二層繊維の前記第２材料が親水性ポリウレタンを含むことを特徴とする多機能コア。
【請求項９】
請求項８に記載の多機能コアにおいて、前記親水性ポリウレタンがシリコーンゲルを含むことを特徴とする多機能コア。
【請求項１０】
請求項１に記載の多機能コアにおいて、前記接触層が、銀およびヨウ素からなる群から選択される抗菌物質を含むことを特徴とする多機能コア。
【請求項１１】
請求項７に記載の多機能コアにおいて、前記吸上げ層の前記二層繊維の前記第１材料が疎水性ポリウレタンを含み、前記吸上げ層の前記二層繊維の前記第２材料が親水性ポリウレタンを含むことを特徴とする多機能コア。
【請求項１２】
請求項７に記載の多機能コアにおいて、前記イオン交換層の前記二層繊維の前記第１材料が疎水性ポリマーを含み、前記イオン交換層の前記二層繊維の前記第２材料が、イオン交換樹脂が中に配置された親水性ポリマーを含むことを特徴とする多機能コア。
【請求項１３】
請求項７に記載の多機能コアにおいて、前記吸収層の前記二層繊維の前記第１材料が高吸収性ポリマーを含み、前記吸収層の前記二層繊維の前記第２材料が親水性ポリマーを含むことを特徴とする多機能コア。
【請求項１４】
請求項１に記載の多機能コアにおいて、前記吸上げ層、前記イオン交換層、前記吸収層、前記遮断層、および前記臭気吸収層がそれぞれ、複数の単層繊維を含むことを特徴とする多機能コア。
【請求項１５】
請求項１４に記載の多機能コアにおいて、前記吸上げ層の前記単層繊維が、ポリウレタン、ポリエステルおよびアクリルからなる群から選択される親水性ポリマーから形成されることを特徴とする多機能コア。
【請求項１６】
請求項１４に記載の多機能コアにおいて、前記イオン交換層の前記単層繊維が、活性炭素粒子が中に配置された親水性ポリウレタンから形成されることを特徴とする多機能コア。
【請求項１７】
請求項１４に記載の多機能コアにおいて、前記吸収層の前記単層繊維が、高吸収性ポリマーが中に配置された弾性ポリマーから形成されることを特徴とする多機能コア。
【請求項１８】
請求項１４に記載の多機能コアにおいて、前記遮断層の前記単層繊維が、開放性不織繊維質ウェブ中に配置された疎水性ポリマーから形成され、前記疎水性ポリマーがフルオロカーボンを含むことを特徴とする多機能コア。
【請求項１９】
請求項１４に記載の多機能コアにおいて、前記臭気吸収層の前記単層繊維が、開放性不織繊維質ウェブ中に配置された活性炭素粒子を有する気体透過性ポリマーから形成されることを特徴とする多機能コア。
【請求項２０】
請求項１乃至１９の何れか１項に記載の多機能コアにおいて、前記接触層、前記吸上げ層、前記イオン交換層、前記吸収層、前記遮断層、および前記臭気吸収層の１つまたは複数が、負圧の流れを許容するように構成されることを特徴とする多機能コア。
【請求項２１】
負圧治療を組織部位に提供するためのシステムであって、
前記組織部位に隣接して位置付けられるように構成されたマニホルドと、
前記マニホルド上に配置されるように、および密封空間を形成するために前記組織部位の周囲の組織に封じ付けられるように構成されたカバーと、
前記密封空間に流体結合されるように構成された負圧源と、
前記マニホルドと前記カバーの間に位置付けられるように構成された多機能コアであって、
前記マニホルド上に位置付けられるように構成された創傷界面層、
前記創傷界面層上に位置付けられる流体分散層、
前記流体分散層上に位置付けられるイオン除去層、
前記イオン除去層上に位置付けられる液体保持層、
前記液体保持層上に位置付けられる液体妨害層、
前記液体妨害層上に位置付けられる臭気除去層、
を含む多機能コアと
を含むことを特徴とするシステム。
【請求項２２】
請求項２１に記載のシステムにおいて、前記創傷界面層、前記流体分散層、前記イオン除去層、前記液体保持層、前記液体妨害層、および前記臭気吸収層のそれぞれが、繊維質ウェブ中に配置される複数の繊維から形成されることを特徴とするシステム。
【請求項２３】
請求項２２に記載のシステムにおいて、前記創傷界面層、前記流体分散層、前記イオン除去層、前記液体保持層、前記液体妨害層、および前記臭気吸収層の１つまたは複数の前記複数の繊維が、単一材料から形成された単層繊維を含むことを特徴とするシステム。
【請求項２４】
請求項２２に記載のシステムにおいて、前記創傷界面層、前記流体分散層、前記イオン除去層、前記液体保持層、前記液体妨害層、および前記臭気吸収層を形成する前記複数の繊維の少なくとも１つの前記複数の繊維が、２種類の材料から形成された二層繊維を含むことを特徴とするシステム。
【請求項２５】
請求項２１に記載のシステムにおいて、前記創傷界面層が複数の二層繊維を含み、各二層繊維が、第１材料から形成された内側コアと、第２材料から形成された外側シースとを有し、前記第１材料が疎水性ポリウレタンを含み、前記第２材料が親水性ポリウレタンを含むことを特徴とするシステム。
【請求項２６】
請求項２５に記載のシステムにおいて、前記親水性ポリウレタンがシリコーンゲルを含むことを特徴とするシステム。
【請求項２７】
請求項２１に記載のシステムにおいて、前記流体分散層が複数の二層繊維を含み、各二層繊維が、第１材料から形成された内側コアと、第２材料から形成された外側シースとを有し、前記第１材料が疎水性ポリウレタンを含み、前記第２材料が親水性ポリウレタンを含むことを特徴とするシステム。
【請求項２８】
請求項２１に記載のシステムにおいて、前記イオン除去層が複数の二層繊維を含み、各二層繊維が、第１材料から形成された内側コアと、第２材料から形成された外側シースとを有し、前記第１材料が疎水性ポリマーを含み、前記第２材料が、イオン交換樹脂が中に配置された親水性ポリマーを含むことを特徴とするシステム。
【請求項２９】
請求項２１に記載のシステムにおいて、前記イオン除去層が、活性炭素粒子が中に配置された親水性ポリウレタンから形成された複数の単層繊維を含むことを特徴とするシステム。
【請求項３０】
請求項２１乃至２９の何れか１項に記載のシステムにおいて、前記創傷界面層、前記流体分散層、前記イオン除去層、前記液体保持層、前記液体妨害層、および前記臭気除去層の１つまたは複数が、負圧の流れを許容するように構成されることを特徴とするシステム。
【請求項３１】
負圧ドレッシング用多機能コアを製造する方法であって、
複数の作業ステーションの各作業ステーションにおいて１以上の繊維群を形成するステップと、
前記複数の作業ステーションの前記各作業ステーションにおいて前記繊維群のそれぞれを繊維質ウェブ層中に配置するステップと、
それら各層を互いに結合して多機能シートを形成するステップと、
前記各層を有する前記多機能シートを多機能コアへ分割するステップと
を含むことを特徴とする方法。
【請求項３２】
請求項３１に記載の方法において、前記繊維群が、
単一材料から形成された単層繊維と、
２種類の材料、すなわち、第１材料から形成された内側コアおよび第２材料から形成された外側シースから形成された二層繊維と
を含むことを特徴とする方法。
【請求項３３】
請求項３１に記載の方法において、前記各層が、接触層；流体吸上げ層；イオン交換層；液体吸収層；液体遮断層；臭気吸収層；および剛性層のうちの１つ以上からなる群から選択されることを特徴とする方法。
【請求項３４】
請求項３３に記載の方法において、前記接触層、前記流体吸上げ層、前記イオン交換層、および前記液体吸収層がそれぞれ、二層繊維群を含み、各二層繊維が、第１材料から形成された内側コアと、第２材料から形成された外側シースとを有することを特徴とする方法。
【請求項３５】
請求項３４に記載の方法において、前記接触層の前記二層繊維の前記第１材料が疎水性ポリウレタンを含み、前記接触層の前記二層繊維の前記第２材料が親水性ポリウレタンを含むことを特徴とする方法。
【請求項３６】
請求項３４に記載の方法において、前記流体吸上げ層の前記二層繊維の前記第１材料が疎水性ポリウレタンを含み、前記流体吸上げ層の前記二層繊維の前記第２材料が親水性ポリウレタンを含むことを特徴とする方法。
【請求項３７】
請求項３４に記載の方法において、前記イオン交換層の前記二層繊維の前記第１材料が疎水性ポリマーを含み、前記イオン交換層の前記二層繊維の前記第２材料が、イオン交換樹脂が中に配置された親水性ポリマーを含むことを特徴とする方法。
【請求項３８】
請求項３４に記載の方法において、前記液体吸収層の前記二層繊維の前記第１材料が高吸収性ポリマーを含み、前記液体吸収層の前記二層繊維の前記第２材料が親水性ポリマーを含むことを特徴とする方法。
【請求項３９】
請求項３３に記載の方法において、前記流体吸上げ層、前記イオン交換層、前記液体吸収層、前記液体遮断層、および前記臭気吸収層がそれぞれ、単層繊維群を含むことを特徴とする方法。
【請求項４０】
請求項３１乃至３９の何れか１項に記載の方法において、前記繊維質ウェブ層が不織構造を含むことを特徴とする方法。
【請求項４１】
請求項３１乃至４０の何れか１項に記載の方法において、前記繊維群の少なくとも一つが織布構造中に配置されることを特徴とする方法。